(57)【要約】【課題】容器本体内の顆粒をスプーンで掬い取ったのち、スプーン上の顆粒を定量に摺り切る際に、この摺り切り作業が手軽に行えるようにした顆粒用収納容器を得る。【解決手段】容器本体１と、中蓋２と、外蓋３と、スプーン４とがある。容器本体１は、底壁５と円筒壁６とを有する。中蓋２は、円形の主壁８と、外周壁９と、鍔１０とを有する。主壁８の下面には、外周寄り部位に円環状の線状突部１２が下向きに一体突設されている。【選択図】        図１
2004315068.tif 000002
【特許請求の範囲】
【請求項１】
顆粒Ｇが入る容器本体１と、容器本体１の開口上面を閉じる中蓋２と、容器本体１に被せ付けられて中蓋２の外側を閉じる外蓋３と、スプーン４とを含み、
容器本体１が、底壁５と、底壁５の外周から立ち上がる円筒壁６とを有し、
中蓋２が、円形の主壁８と、主壁８の外周に立ち上げ連設されて円筒壁６の開口上端部の内周に嵌まり込む外周壁９と、外周壁９の上端外周に張り出し形成されて円筒壁６の開口上端縁に受け止められる鍔１０と、主壁８の下面の外周寄り部位において下向きに一体突設された円環状の線状突部１２とを含む合成樹脂成形品であり、
外蓋３が、円形の天壁１５と、天壁１５の外周から下向きに連設されて円筒壁６の開口上端部の外周に嵌合する周側壁１６とを有する顆粒用収納容器。
【請求項２】
中蓋２が、透明ないし半透明の軟質合成樹脂材で成形されている請求項１記載の顆粒用収納容器。
【請求項３】
中蓋２の主壁８の上面には、外周寄りの一箇所に手づかみ用の舌片１３が一体に連設されており、
舌片１３は、主壁８から立ち上がる起立部１３ａと、起立部１３ａの上端から主壁８の中央に向かって片持ち状に連設された舌片部１３ｂとを含む請求項２記載の顆粒用収納容器。
【請求項４】
容器本体１は、金属缶からなり、円筒壁６の上端開口周縁に内巻きカール部７が形成されており、
中蓋２の円筒壁６の上端外周面に、内巻きカール部７に弾性的に接合する係合部１１が周回状に凹み形成されている請求項２又は３記載の顆粒用収納容器。
【発明の詳細な説明】
【０００１】
【発明の属する技術分野】
本発明は、顆粒Ｇが入る容器本体１と、容器本体１の開口上面を閉じる中蓋２と、容器本体１に被せ付けられて中蓋２の外側を閉じる外蓋３と、スプーン４とを含む顆粒用収納容器に関する。
【０００２】
【従来の技術】
かかる顆粒用収納容器において、顆粒Ｇのスプーン１杯分を容易に量るために、中蓋２の主壁８の下面に直線状の線状突部１２が設けられている（特許文献１）。
【０００３】
【特許文献１】
実公昭４４−２８５５２号公報（第１頁左欄、第１図）
【０００４】
【発明が解決しようとする課題】
しかし、線状突部１２が直線状に配されていると、スプーン４を中蓋２に対して線状突部１２と直交する方向に引くしかなく、摺り切り方向が限定されてしまう。特に、中蓋２は半透明の合成樹脂材で成形されていることが多いところ、長期間使用するうちに顆粒Ｇが中蓋２に付着して、中蓋２が白濁する。そのため、中蓋２の上面からでは線状突部１２の位置と方向とが視認できずに摺り切りがしにくくなるという不都合があった。
【０００５】
中蓋２は軟質合成樹脂材で成形して、容器本体１の開口上面を密封状に閉じることが望まれるが、線状突部１２が直線状に形成されていると、開閉時に中蓋２が過剰にねじれ変形し、中蓋２の開閉操作、特に開き操作が行い難い点にも問題があった。
【０００６】
本発明の目的は、スプーン４に掬い取った顆粒Ｇの摺り切り操作が手軽に行える顆粒用収納容器を得ることにある。本発明の目的は、容器本体１に対する中蓋２の開閉が容易に行える顆粒用収納容器を得ることにある。
【０００７】
【課題を解決するための手段】
本発明に係る顆粒用収納容器は、中蓋２の主壁８の下面の外周寄り部位に円環状の線状突部１２が下向きに一体突設されていることを特徴とする。
【０００８】
具体的には、中蓋２が、透明ないし半透明の軟質合成樹脂材で成形されている。中蓋２の主壁８の上面の外周寄りの一箇所には、手づかみ用の舌片１３が一体に連設されており、舌片１３は、主壁８から立ち上がる起立部１３ａと、起立部１３ａの上端から主壁８の中央に向かって片持ち状に連設された舌片部１３ｂとからなる。
【０００９】
容器本体１は金属缶からなり、円筒壁６の上端開口周縁に内巻きカール部７が形成されており、中蓋２の外周壁９の上端外周面に、内巻きカール部７に弾性的に嵌係合する係合部１１が周回状に凹み形成されている。
【００１０】
【発明の作用効果】
本発明によれば、中蓋２の主壁８の下面に線状突部１２を円環状に設けたので、中蓋２の円周のいずれの方向にスプーン４を引くことによっても、スプーン４上の顆粒Ｇを容易確実に摺り切ることができる。線状突部１２は、中蓋２の主壁８の形状を保形するので、主壁８が薄肉化されていても、また中蓋２が軟質合成樹脂材で成形されていても、中蓋２の過剰なねじれ変形を防止し、容器本体１に対する中蓋２の脱着が容易に行える。
【００１１】
中蓋２が透明ないし半透明の軟質合成樹脂材で成形されていると、これの主壁８越しに前記摺り切り作業を視認できる。更に、中蓋２の外周壁９を内外方向に弾性変形させて容器本体１の円筒壁６の上端開口部に嵌合することができ、容器本体１に対する中蓋２の脱着が容易に行え、容器本体１の開口上面を中蓋２で密封するのにも便利である。
【００１２】
中蓋２は舌片１３をつかんで容器本体１から上方に抜き外すことができる。従って、容器本体１に中蓋２が密に嵌合していても、容器本体１から中蓋２を容易に抜き外すことができる。
【００１３】
軟質合成樹脂製の中蓋２は外周壁９が内外方向に弾性変形可能であるうえに、外周壁９の上端外周面に形成した係合部１１が、金属製の容器本体１の円筒壁６の上端開口周縁に形成された内巻きカール部７に弾性的に嵌係合するので、中蓋２による容器本体１の密閉性を良好に確保できる。
【００１４】
【実施例】
本発明に係る顆粒用収納容器は、図２および図３に示すごとく、胃腸薬などの顆粒Ｇが入る金属製の容器本体１、容器本体１の開口上面を閉じる軟質合成樹脂製の中蓋２、容器本体１に被せ付けられて中蓋２の外側を閉じる金属製の外蓋３と、硬質合成樹脂製のスプーン４とを含む。
【００１５】
容器本体１は、円形の底壁５と、底壁５の外周から立ち上がる円筒壁６とを有する有底の円筒状に形成されている。円筒壁６の下端に底壁５の外周縁が外巻き締めされており、円筒壁６の上端開口周縁には内巻きカール部７が形成されている。
【００１６】
中蓋２は、円形の主壁８と、主壁８の外周に立ち上げ連設されて容器本体１の円筒壁６の開口上端部の内周に落とし込み嵌合される外周壁９と、外周壁９の上端外周に張り出し形成された鍔１０とが半透明の軟質合成樹脂材（ポリエチレン）で一体成形されている。
【００１７】
中蓋２の外周壁９の上端外周面には、内巻きカール部７に弾性的に嵌係合する係合部１１が周回状に凹み形成されている。係合部１１は、円筒壁６の上端の内巻きカール部７の内周側に密接する垂直状の立壁部１１ａと、容器本体１に中蓋２を嵌合装着したとき、内巻きカール部７の下方に位置する凸部１１ｂとを有する。立壁部１１ａは主に顆粒Ｇの防湿などを図り、凸部１１ｂは主に、容器本体１からの中蓋２の意図しない抜け外れを防止する。
【００１８】
中蓋２の鍔１０は容器本体１の円筒壁６の上端開口縁に受け止められて、容器本体１への中蓋２の嵌まり込み深さを規制する。外周壁９は下半部の外周面が下すぼまりのテーパ面に形成されており、容器本体１に対する中蓋２の嵌合をスムーズなものにしている。
【００１９】
中蓋２の主壁８の下面の外周寄り部位には、主壁８と同心円状に配された円環状の線状突部１２が、下向きに一体突設されている。線状突部１２の直径寸法は、スプーン４の掬い部１７の上端縁の最大径よりも十分に大きく設定されている。線状突部１２の肉厚は、図１に示すごとく上方よりも下方がやや薄肉になっており、下向きのブレード状を呈している。線状突部１２の上下長さは、外周壁９と鍔１０とを含めた高さよりも短い。
【００２０】
中蓋２の主壁８の上面には、外周寄りの一箇所に舌片１３が一体に連設されている。舌片１３は、図１に示すごとく、主壁８から立ち上がる起立部１３ａと、起立部１３ａの上端から主壁８の中央に向かって片持ち状に連設された舌片部１３ｂとで構成される。舌片部１３ｂの外側上面には、摺り止め手段として、舌片部１３ｂの連出方向に直交するよう幅方向に延びる３本の凸条１４が一体に形成されている。３本の凸条１４は、それぞれが断面半円形を呈し、舌片部１３ｂの連出方向に一定の間隔を置いて、平行に配置されている。
【００２１】
外蓋３は、円形の天壁１５と、天壁１５の外周から下向きに連設された短筒状の周側壁１６とを含む。図１において、周側壁１６の上端寄り部位には、中蓋２の鍔１０の上端外周縁に当接して外蓋３の容器本体１への嵌まり込み深さを規制する段部１６ａが、外張り周回状に設けられている。周側壁１６は、段部１６ａより下方の径大筒部が、円筒壁６の開口上端部の外周面に嵌合する。
【００２２】
スプーン４は、先端の掬い部１７と、これにつながる柄１８とからなる。掬い部１７の容量は、その摺り切り一杯分が１回に服用すべき胃腸薬の量である１ｃｃとなるように設定した。図２においてスプーン４は、不使用時に中蓋２の主壁８の上に載せられて、中蓋２と外蓋３との間の空間に収納される。従ってスプーン４は、全体の長さが主壁８の直径よりも短く、掬い部１７を含む全体の上下寸法が、中蓋２と外蓋３とで生じる空間よりも小さい。
【００２３】
次に、本発明に係る顆粒用収納容器の使用方法を説明すると、図３に示すごとく、容器本体１から外蓋３を外し、中蓋２に載置されているスプーン４をいったん取り除いたあと、中蓋２の舌片１３をつかんで中蓋２を取り外す。次いで、中蓋２の舌片１３を把持したまま、他方の手でスプーン４を持って顆粒Ｇをおおまかな山盛りに掬う。そのあと図４に示すごとく、容器本体１の開口上面の上方で、水平にしたスプーン４の掬い部１７の上に中蓋２の下面の略中央部分を水平に合わせ、線状突部１２の下端面を掬い部１７の上端縁に当接させた状態で、スプーン４を中蓋２の外周方向に引くか、または中蓋２をスプーン４の先端方向に引く。
【００２４】
この際に、半透明の中蓋２の主壁８越しに摺り切り状態を認めることができる。尤も、摺り切り時に使用者は必ずしも線状突部１２の位置を目視しなくてもよい。それでも顆粒Ｇは、スプーン４のちょうど一杯分の適量が量り取れる。顆粒Ｇを服用したあとは、先程とは逆の順で、中蓋２を容器本体１に嵌合し、中蓋２にスプーン４を載せたあと外蓋３を容器本体１に被せて収納する。
【００２５】
線状突部１２は、１又は複数の切れ目を有していてもよい。中蓋２は、不透明の硬質合成樹脂製であってもよい。
【図面の簡単な説明】
【図１】要部の縦断正面図
【図２】全体の縦断正面図
【図３】構成部材を示す分解斜視図
【図４】使用要領を説明する要部の縦断正面図
【符号の説明】
１  容器本体
２  中蓋
３  外蓋
４  スプーン
８  主壁
９  外周壁
１１  係合部
１２  線状突部
１３  舌片
１６  周側壁
Ｇ  顆粒
【図１】
2004315068.tif 000003
【図２】
2004315068.tif 000004
【図３】
2004315068.tif 000005
【図４】
2004315068.tif 000006